(57)【要約】【課題】  挟み込み作業を簡便にし得る養殖用ロープの提供とその使用方法を提案する。【解決手段】  海藻類の養殖用ロープ１０は、伸縮性を示さない非伸縮ストランド１１，１２と、適度な伸縮性を示す伸縮ストランド１３とを、編組または撚り合わせてなる。非伸縮ストランド６本と、伸縮ストランド１本とを使用し、非伸縮ストランドは２本を一組として３組とし、伸縮ストランドは１本で１組とし、３組の非伸縮ストランド３１，３２，３３と１本の伸縮ストランド３４を４つ打ちによりロープを構成させる。養殖用ロープの使用方法は、伸縮ストランドを伸張させて非伸縮ストランドとの間に間隙を形成し、間隙に養殖対象の海藻類の種苗の一部を侵入させた後、伸縮ストランドの弾性力により種苗を挟持させる。【選択図】  図１
2016007173.tif 000002
【特許請求の範囲】
【請求項１】
伸縮性を示さない非伸縮ストランドと、適度な伸縮性を示す伸縮ストランドとを、編組または撚り合わせてなることを特徴とする海藻類の養殖用ロープ。
【請求項２】
前記非伸縮ストランド６本に対し前記伸縮ストランド１本を使用し、前記非伸縮ストランドは２本を一組として３組とし、該３組の非伸縮ストランドと１本の伸縮ストランドを４つ打ちとしてなる請求項１に記載の海藻類の養殖用ロープ。
【請求項３】
前記伸縮ストランドは、合成樹脂製の弾性繊維糸を使用した撚り糸である請求項１または２に記載の海藻類の養殖用ロープ。
【請求項４】
前記伸縮ストランドを構成する弾性繊維糸は、ポリウレタン製である請求項３に記載の海藻類の養殖用ロープ。
【請求項５】
請求項１ないし４のいずれかに記載の海藻類の養殖用ロープの使用方法であって、伸縮ストランドを伸張させて非伸縮ストランドとの間に間隙を形成し、該間隙に養殖対象の海藻類の種苗の一部を侵入させた後、伸縮ストランドの弾性力により該種苗を挟持させることを特徴とする養殖用ロープの使用方法。
【発明の詳細な説明】
【技術分野】
【０００１】
本発明は、海藻類の養殖用として使用するロープと、その使用方法に関するものである。
【背景技術】
【０００２】
海藻類の養殖方法を大別すると、支柱式と浮き流し方式とがある。支柱式は、比較的浅瀬において採用される方式であり、適宜間隔で海底に立設した支柱を使用し、浮動リングを支柱に刺し通すことにより、海水面の変動により養殖用ロープの高さが変化するように構成したものである。他方、浮き流し方式は、水深の深い場所で採用される方式であり、ロープ等で外枠を構成し、その枠内に養殖用ロープを連結するものであって、錘と浮きにより適度な深度で養殖するものである。
【０００３】
ところで、ここで使用される養殖用ロープは、三つ撚りロープと称する３本のストランドを撚り合わせたロープが使用されていた。そして、このロープの撚りを戻すことによって間隙を形成し、その間隙に養殖対象となる海藻類の種苗を挟み込む作業（これを挟み込みと称する）を行っていた（非特許文献１参照）。なお、非特許文献１は、ヒジキに関する報告であるが、種苗から養殖する海藻類であれば、ヒジキに限らず同様の方式が採用されるものと思料される。
【先行技術文献】
【非特許文献】
【０００４】
【非特許文献１】大分県農林水産研究指導センター研究報告（水産研究部編）第３号（２０１３）Ｐ２１−Ｐ５６
【発明の概要】
【発明が解決しようとする課題】
【０００５】
前掲の非特許文献１に開示される内容は、専ら海藻類の養殖状態を研究したものであり、そこで使用される養殖用ロープは、ポリプロピレン製の３本撚り１２打ち（４本の糸を１本のストランドとし、これを３本撚り合わせたものであり、三つ撚りロープと呼ばれるもの）を使用するものであった。そして、同文献Ｐ２６に掲載されている写真を見る限り、一般的な三つ撚りロープであることが容易に判断できる。
【０００６】
しかしながら、一般的な三つ撚りロープに種苗の挟み込みを行う場合には、前記のとおり、当該ロープの撚りを戻すことにより間隙を形成し、その間隙に種苗を挟んだうえで、再び撚りをかける必要があり、その作業の細かさから全て手作業によることとなっていた。そして、この作業は、非常に時間と労力を要し、前記文献では、４０ｍのロープについて５ｃｍの間隔で種苗を挟み込む場合、２人で作業しても２時間３０分を要したことが記述されている（同文献Ｐ２５参照）。
【０００７】
本発明は、上記諸点にかんがみてなされたものであって、その目的とするところは、挟み込み作業を簡便にし得る養殖用ロープの提供とその使用方法を提案することである。
【課題を解決するための手段】
【０００８】
そこで、海藻類の養殖用ロープに係る本発明は、伸縮性を示さない非伸縮ストランドと、適度な伸縮性を示す伸縮ストランドとを、編組または撚り合わせてなることを特徴とするものである。
【０００９】
上記構成によれば、１本の養殖用ロープに異なる性質のストランド（伸縮性を有するものと有しないもの）が存在することとなり、伸縮ストランドは、非伸縮ストランドを基準に伸縮可能な状態とすることができる。そして、例えば、２本の非伸縮ストランドと１本の伸縮ストランドにより三つ撚りロープを構成する場合には、当該１本の伸縮ストランドはロープ表面に螺旋状に存在することとなることから、当該伸縮ストランドを適宜個所で伸張させることにより非伸縮ストランドとの間に間隙を形成させることができる。また、４つ打ちとして編組または撚り合わせたもの（通常のロープの場合は２本１組とした８本撚り、いわゆるクロスロープと称するもの）である場合には、いずれかに伸縮ストランドを使用することにより、当該伸縮ストランドは規則的にロープ表面を通過する状態となり、この表面を通過する伸縮ストランドを伸張することによって間隙を形成させることができる。
【００１０】
ここで、上記構成の発明においては、非伸縮ストランド６本と、伸縮ストランド１本とを使用し、前記非伸縮ストランドは２本を一組として３組とし、伸縮ストランドは１本で１組とし、該３組の非伸縮ストランドと１本の伸縮ストランドを４つ打ちによりロープを構成させてもよい。
【００１１】
このような構成の場合には、３組の非伸縮ストランドにより強度を確保し、１本の伸縮ストランドは、種苗の固定用として機能させることができる。この場合の撚り合わせの状態は、４組のストランドを使用することから、いわゆるクロスロープと同様とすることができる。クロスロープと同様の編組または撚り合わせの場合には、伸縮ストランドは他のストランドと同様にロープの内部を貫通しつつ、規則的にロープの表面を通過する状態となり、ロープ内部の貫通部分によって位置が固定されるとともに、表面を通過する部分を伸張して間隙形成を行うことができる。
【００１２】
上記各発明の伸縮ストランドは、合成樹脂製の弾性繊維糸を使用した撚り糸で構成することができ、当該弾性繊維糸としては、ポリウレタン製の糸を使用することができる。
【００１３】
合成樹脂製の弾性繊維糸を使用した撚り糸であれば、海水中で長期間使用することができ、ポリウレタン製の弾性繊維糸を使用すれば、伸縮性が持続することを期待し得る。
【００１４】
他方、前記のような海藻類の養殖用ロープの使用方法に係る本発明は、伸縮ストランドを伸張させて非伸縮ストランドとの間に間隙を形成し、該間隙に養殖対象の海藻類の種苗の一部を侵入させた後、伸縮ストランドの弾性力により該種苗を挟持させることを特徴とするものである。
【００１５】
上記構成によれば、伸縮ストランドは、その伸縮性から弾性力を発揮させることにより、海藻類の種苗を挟持させることができる。すなわち、人為的な外力によって伸張させることにより間隙を形成させることができ、当該外力が消失することにより伸縮ストランドは収縮することとなり、これによって前記間隙は縮小するように作用する。その間隙の縮小により種苗を挟持させるのである。なお、収穫または撤去の際には、再び人為的な外力を作用することにより、間隙を拡大させることも可能となる。
【発明の効果】
【００１６】
海藻類の養殖用ロープに係る本発明によれば、非伸縮ストランドによって強度を有するロープを構成するとともに、当該ロープを形成する一部のストランドが伸縮性を示す伸縮ストランドであることから、当該伸縮ストランドによって養殖対象となる海藻類の種苗を容易に挟持することができる。すなわち、ロープ表面に露出する伸縮ストランドを伸張させることにより、非伸縮ストランドとの間に適宜な間隙を形成することができ、当該間隙に養殖対象となる海藻類の種苗を挿入し得ることとなる。また、当該伸縮ストランドの弾性力によって、その伸縮ストランドを収縮させることにより、間隙に挿入された種苗は、適度な押圧力によって挟持されることとなり、この挟持によって種苗を挟み込んだ状態とすることができるのである。従って、従来のように撚りを戻して間隙を形成し、種苗挿入後にロープを撚り直すことで挟み込みを行う場合に比べて、非常に容易に挟み込みを行うことができるものである。
【００１７】
なお、三つ撚りロープの１本のストランドを伸縮ストランドとする場合には、ロープ周辺に螺旋状に伸縮ストランドが配置されることから、ロープ表面の任意の位置に種苗を挟み込むことができる。また、４組を４つ打ちしてなるクロスロープのうちの１組（２本１組または１本１組）を伸縮ストランドとする場合には、伸縮ストランドは、ロープの内部を貫通しつつ規則的にロープ表面を通過する状態とすることができることから、この規則的な表面部分を利用して、適宜間隔に種苗を挟み込むことも可能となる。そして、これらの撚り合わせに限らず、６つ打ちや８つ打ちのロープのうちの１組または２組を伸縮ストランドすることも可能である。
【００１８】
さらに、魚介類などの養殖用として使用される一般的なロープは、ポリプロピレンまたはポリエチレンなどの合成繊維製の非伸縮ストランドによって構成されており、海水中で長期間使用することが可能である。そこで、伸縮ストランドを例えばポリウレタンなどの合成繊維製とすることにより、全体として海水中における長期間の使用を可能にすることができる。従って、これらの材料により構成したロープは繰り返し使用することが可能であるとともに、収穫後に海藻の根の部分を残した状態で海中に残置させれば、人工漁礁として使用することも可能となる。
【００１９】
他方、養殖用ロープの使用方法に係る本発明によれば、伸縮ストランドに対して引張力を作用させ、一時的に伸張させることによって、種苗を挟み込むための間隙を形成させることができ、その間隙に種苗を挿入した後、引張力を除去することにより挟み込み作業を終了させることができる。
【図面の簡単な説明】
【００２０】
【図１】海藻類の養殖用ロープに係る本発明の実施形態を示す説明図である。
【図２】海藻類の養殖用ロープに係る本発明の実施形態の使用態様を示す説明図である。
【図３】実験例としてヒジキの種苗を挟持させた状態の写真である。
【図４】実験例として養殖したヒジキの状態を示す写真である。
【発明を実施するための形態】
【００２１】
以下、本発明の実施の形態を図面に基づいて説明する。図１には三種類の実施形態を示している。図１（ａ）は、三つ撚りロープとしたもの（第一の実施形態）、図１（ｂ）は、４つ打ちのクロスロープとしたもの（第二の実施形態）、図１（ｃ）は、４つ打ちクロスロープの一組を１本のストランドとしたもの（第三の実施形態）を示している。
【００２２】
まず、第一の実施形態は、図１（ａ）に示すように、３本のストランド１１，１２，１３による三つ撚りロープ１０である。このロープ１０を構成する３本のストランド１１，１２，１３のうち、１本（図中着色したもの）のストランド１３に伸縮性を示す伸縮ストランドが使用されている。残りの２本のストランド１１，１２は伸縮性を示さない一般的な非伸縮ストランドである。
【００２３】
非伸縮ストランド１１，１２は、ポリプロピレン製の合成繊維を紡糸し、これを複数本束ねることにより構成されている。他方、伸縮ストランド１３は、ポリウレタン製の合成繊維を使用した糸を使用したものである。
【００２４】
ここで、伸縮性を示すとは、引張荷重を受けた際に、当該引張方向への顕著な伸び（歪み）を示すとともに、当該引張荷重による伸び（歪み）に対して復元力を示し、この復元力によって収縮できる性質を意味する。以下においては、引張荷重を受けた際の復元力を弾性力と称する場合がある。また、伸縮性を示さないとは、引張荷重を受けた際に顕著な伸びを示さない性質を意味する。厳密には、僅かながら伸び（歪み）を示し、塑性変形または弾性変形する場合があるとしても、その伸び率が極めて小さい場合を意味するものである。
【００２５】
そこで、本実施形態の養殖用ロープ１０は、２本の非伸縮ストランド１１，１２と１本の伸縮ストランド１３とを三つ撚りにして構成されていることから、各ストランド１１，１２，１３は、平行な状態で螺旋状に撚り合わされた状態となっている。従って、１本の伸縮ストランド１３は、２本の非伸縮ストランド１１，１２の径に相当する間隔を有しつつ、ロープ１０の表面に螺旋状に配置されることとなるのである。
【００２６】
本実施形態は、上記のような構成であるから、ロープ１０の長さ方向に連続する伸縮ストランド１３を配置することができ、任意の位置において伸縮ストランド１３を使用することができる。なお、伸縮ストランド１３の使用とは、後述するように、伸縮ストランド１３を人為的に伸張させ、非伸縮ストランド１１，１２との間に適宜な間隙を形成させることである。
【００２７】
次に、第二の実施形態について説明する。本実施形態は、図１（ｂ）に示すように、２本のストランドを一組とし、４組２１，２２，２３，２４を４つ打ちしてなるクロスロープとして構成した養殖用ロープ２０である。各組２１〜２４のうち、３組２１〜２３は、それぞれ非伸縮ストランド２１ａ，２１ｂ，２２ａ，２２ｂ，２３ａ，２３ｂが使用され、残りの１組２４（図中着色したもの）には伸縮ストランド２４ａ，２４ｂが使用されている。これらの非伸縮ストランド２１ａ〜２３ｂは、第一の実施形態と同様に、ポリプロピレン製の合成繊維を使用したものであり、また、伸縮ストランド２４ａ，２４ｂについても、ポリウレタン製の合成繊維を使用したものである。
【００２８】
このように、両性質のストランドを使用した４組２１〜２４を４つ打ちのクロスロープとすることにより、伸縮ストランド２４ａ，２４ｂは、他のストランド２１ａ〜２３ｂと交差しつつ編組されることとなり、編組後のロープ２０の内部を貫通しつつ、部分的に表面を通過（表面に露出）する状態となる。そして、表面を通過する領域は、編組の状態に応じて規則的となっている。なお、本実施形態のようにクロスロープとして編組する場合、規則的に表面を通過する伸縮ストランド２４ａ、４ｂは、ロープ２０の軸線を中心として対称となる両側に位置することとなる。また、対称に露出する片方の表面では、表面に露出する部分の伸縮ストランド２４ａ，２４ｂは、ロープ２０の軸線方向に対して傾斜した方向へ連続する状態となり、しかも、当該連続部分が、軸線方向に同じ状態で断続的に形成されることとなる。
【００２９】
従って、海藻類の種苗を挟み込む場合には、同じ側の伸縮ストランド２４ａ，２４ｂを使用すれば、ロープ２０の軸線に沿って一列に種苗を固定することができる。また、多数の種苗を挟み込むことから、当然に隣接する種苗には相互に間隔を有して固定されるべきところ、表面を通過する伸縮ストランド２４ａ，２４ｂの規則的な連続部分を利用すれば、ほぼ均等な間隔で種苗を挟み込むことができる。
【００３０】
なお、本実施形態では、２本の伸縮ストランド２４ａ，２４ｂを一組としてクロスロープを形成していることから、基本的に当該２本の伸縮ストランド２４ａ、４ｂが平行な状態で並設されることとなる。そこで、海藻類の種苗を挟み込む場合には、２本の伸縮ストランド２４ａ，２４ｂの双方によって挟持させる状態とするほか、いずれか一方のみによって挟持させるようにしてもよい。
【００３１】
また、これらのストランド２１ａ〜２４ｂによってクロスロープを編組する場合には、適度なテンションが付与されることとなるため、伸縮ストランド２４ａ，２４ｂにもテンションが付与されており、その伸縮性によって、僅かに伸張した状態で編組された状態となっている。そのため、当該伸縮ストランド２４ａ，４ｂは、ロープ形成時において、当該ロープ２０の表面に密着するように弾性力を作用させることとなり、海藻類の種苗を挟持するために必要な押圧力を発揮させ得る状態となっている。
【００３２】
次に、第三の実施形態について説明する。本実施形態は、前述した第二の実施形態を変形したものであって、図１（ｃ）に示すように、基本的には、４組３１，３２，３３，３４を４つ打ちにより、クロスロープ３０を形成するものである。また、４組３１〜３４のうちの３組３１〜３３については、非伸縮ストランド３１ａ，３１ｂ，３２ａ，３２ｂ，３３ａ，３３ｂが使用される点も同様である。本実施形態では、残りの１組３４（図中着色したもの）として１本の伸縮ストランド３４のみで構成している点が第二の実施形態と異なる。従って、１本の伸縮ストランド３４は、ロープ３０の表面に規則的に、かつ断続的に露出することとなり、当該１本の伸縮ストランド３４を使用して海藻類の種苗を挟持させることができるものである。
【００３３】
このように、１本の伸縮ストランド３４を一組とする場合には、ロープ３０の強度（特に引張強度）を残りの３組３１〜３３によって得るものとし、これらによって伸縮ストランド３４を支持させることとなるのである。また、伸縮ストランド３４は、上記の３組３１〜３３を構成する非伸縮ストランド３１ａ〜３３ｂと交差しつつ編組されることから、ロープ３０の内部に貫通される領域において、ロープ３０と一体化されるとともに、表面を通過する部分により伸張できる領域を形成することができる。従って、伸縮ストランド３４が強靱なロープの内外を縫うように配置された状態となっているのである。
【００３４】
このような構成の第三の実施形態では、やはり第二の実施形態と同様に、規則的に表面を通過する伸縮ストランド３４は、ロープ３０の軸線を中心として対称となる両側に位置することとなる。そして、その表面を通過する部分は、ロープ３０の軸線方向に対して傾斜した方向へ連続し、かつ、軸線方向に断続的に形成されることとなる。従って、このような規則的な間隔で表面に露出する伸縮ストランド３４を利用することにより、ほぼ均等な間隔で種苗を挟み込むことができるものである。
【００３５】
次に、上記各実施形態の使用形態とともに、使用方法に係る本発明の実施形態について説明する。海藻類の養殖用ロープに係る本発明の実施形態は、上記のような構成であるから、非伸縮ストランドとともにロープを形成する伸縮ストランドを伸張させることにより、間隙を形成し、その間隙に種苗を挿入することが可能となるものである。そこで、前述の養殖用ロープ１０，２０，３０の使用方法について、図２を参照しつつ順次説明する。なお、図２（ａ）は第一の実施形態の養殖用ロープ１０、図２（ｂ）は第二の実施形態の養殖用ロープ２０、図２（ｃ）は第三の実施形態の養殖用ロープ３０のそれぞれについて、その使用状態を示している。
【００３６】
まず、第一の実施形態のロープ１０は、前述のように、伸縮ストランド１３が、ロープ１０の表面を螺旋状に配置された状態であるため、ロープ１０の軸線方向の任意の位置において、伸縮ストランド１３を伸張させることができる。このとき、図２（ａ）に示すように、当該伸縮ストランド１３を表面外方へ引っ張ることにより、非伸縮ストランド１１，１２との間に間隙Ａ１，Ａ２，Ａ３を形成させることができるのである。この間隙Ａ１，Ａ２，Ａ３に種苗を挿入させ、伸張状態を解除することにより、伸縮ストランド１３が収縮し、非伸縮ストランド１１，１２との間で当該種苗を挟持させることができるのである。
【００３７】
なお、ロープ１０の軸線方向の任意の位置において、伸縮ストランド１３を伸張させる場合、そのロープ１０の周方向の位置は、伸縮ストランド１３の螺旋の状態に応じて異なることとなるため、ロープ１０の軸線に沿って直線的に種苗を挟持させる際には、当該伸縮ストランド１３の螺旋状態に応じた間隔に挟持させることとなる。
【００３８】
また、第二の実施形態のロープ２０を使用する場合は、図２（ｂ）に示すように、一組２４を形成する平行な２本の伸縮ストランド２４ａ，２４ｂを同時に伸張させ、この２本のストランド２４ａ，２４ｂに対し同時に種苗を挿入させる場合のほか、いずれか１本のストランド２４ａのみを伸張させ、当該ストランド２４ａによって挟持させる場合がある。いずれの場合においても、伸張して形成される間隙Ｂ１，Ｂ２，Ｂ３に海藻類の種苗を挿入し、その伸張を解除することにより、伸縮ストランド２４ａ，４ｂは収縮することとなり、非伸縮ストランド２１ａ〜２３ｂとの間で（場合により、残りの伸縮ストランド２４ｂとともに）当該種苗を挟持させることができる。
【００３９】
さらに、第三の実施形態のロープ３０を使用する場合には、図２（ｃ）に示すように、単一の伸縮ストランド３４を伸張させることにより、当該伸張による間隙Ｃ１，Ｃ２を形成し、この間隙を利用して海藻類の種苗を挟持させることができるものである。
【００４０】
ここで、第二および第三の実施形態のロープ２０，３０を使用する場合には、図示のように、ロープ２０，３０の表面に伸縮ストランド２４，３４が露出する部分が限定的となっていることから、この露出する部分を選択して海藻類の種苗を挟持させることとなる。そして、この限定的な露出部分は、前述のように、ロープ２０，３０の軸線方向に断続的かつ規則的に形成されることから、例えば、図示のように、同じ側に形成される露出部分を使用し、かつ、使用すべき露出部分を規則的に（例えば、中間の一つを除くように）選択することにより、隣接して挟持される種苗間の間隔をほぼ一定とすることができる。
【００４１】
なお、上記例示のように、ロープ２０，３０の軸線方向に対して直線的に種苗を挟持させる場合は、ロープ２０，３０の同じ側に配置させる伸縮ストランド２４ａ，２４ｂ，３４を同じ方向へ伸張させることとなるから、挟み込み作業を単純化することができる。しかし、養殖すべき海藻類の生育の状態に応じて、疎密の状態を考慮すべき場合には、上述のような規則的な位置に挟持させないことも可能である。当然のことであるが、露出部分の全てで種苗を挟持させるようにしてもよく、不規則に選択した露出分によって挟持させてもよいのである。要するに、伸縮ストランド２４ａ，２４ｂ，３４がロープ２０，３０の表面に露出する部分であれば、それを伸張することにより種苗を挟持し得るのである。
【００４２】
このように各実施形態のロープ１０，２０，３０に海藻類の種苗を挟み込んだ後は、支柱式または浮き流し方式により海中に設置するのである。なお、現在のところ、海藻類の養殖方法としては、支柱式および浮き流し方式が主流であるが、他の方式による養殖方法があれば、その方式に使用してもよい。
【００４３】
そして、海藻類の成長すべき期間中の海中での設置を経た後、当該養殖用ロープ１０，２０，３０を引き上げ、挟持された部分近傍からの切除、または挟持の解除によって、養殖された海藻類を収穫することができる。なお、収穫時に加圧した海水の噴射により、海藻類の表面を洗浄することがあるが、この場合、種苗が挟持された状態で海水を噴射することにより、海藻類が離脱することなく簡単に洗浄することができる。
【００４４】
さらに、例えば、海藻類を挟持部近傍で切除した場合には、当該切除により残置される部分（根部分）は、伸縮ストランド１３，２４ａ，２４ｂ，３４によって挟持された状態が維持される。そこで、この根部分を残して再び海中に戻すことにより、再度根部分から海藻類が成長する場合もある。従って、このように、同じ種苗を使用しつつ繰り返し養殖することもかのうである。また、この種の再び成長する海藻類を食用として採取しない場合には、根部分が残存するロープ１０，２０，３０を人工漁礁として使用してもよい。
【００４５】
本発明の実施形態は、以上のとおりであるが、これらは本発明の一例を示すものであって、これらに限定する趣旨ではない。従って、前記実施形態を適宜変更することは可能である。例えば、実施形態として例示したロープの構成は、３つ撚りによるもの１０、クロスロープとするもの２０，３０に限定したが、これらに限らず、ストランドを撚り合わせる構成のロープであれば、他の種類のロープにおいても採用可能である。また、非伸縮ストランドにはポリプロピレン繊維による糸を使用し、伸縮ストランドにはポリウレタン繊維による糸を使用したが、伸縮性または非伸縮性を発揮させるものであればこれらに限定されるものではない。なお、天然繊維を使用してもよいが、海中での長期間の使用を考慮する場合、合成繊維を使用することが好ましい。
【実施例】
【００４６】
次に、現実の海中における使用状態を実験した。実験に使用したロープは、第三の実施形態として示したロープ３０であり、１本の伸縮ストランド３４を使用し、４組の４つ打ちによるクロスロープである。伸縮ストランド３４としては、ポリウレタン繊維による素線を組紐状に編組し、直径約２ｍｍとした伸縮性を有するストランドであり、非伸縮ストランド３１ａ〜３３ｂとしては、ポリプロピレン繊維による紡織糸を三つ撚りした撚り糸を直径約３ｍｍとしたものを使用した。そして、ロープ３０の軸線に沿って断続的に露出する片側の露出部分の全てにより種苗を挟持させた。なお、実験に使用する海藻類はヒジキとし、胞子を簀の子状の着床部材で生育した後の種苗を使用した。この挟持の状態を図３に示す。
【００４７】
上記のように種苗を挟持させたロープ１２ｍｍを、浮き流し方式により伊勢湾内に６ヶ月養殖し、その後引き上げたところ、種苗は離脱することなくロープ３０に挟持されており、ヒジキの十分な成長が確認された。そのときの状態を図４に示す。図３および図４の状態から明らかなように、本実施形態のロープによるヒジキの養殖が可能であることが認められた。
【符号の説明】
【００４８】
１０，２０，３０  養殖用ロープ
１１，１２  養殖用ロープ（第一の実施形態）を構成する非伸縮ストランド
１３  養殖用ロープ（第一の実施形態）を構成する伸縮ストランド
２１ａ，２１ｂ，２２ａ，２２ｂ，２３ａ，２３ｂ  養殖用ロープ（第二の実施形態）を構成する非伸縮ストランド
２４ａ，２４ｂ  養殖用ロープ（第二の実施形態）を構成する伸縮ストランド
３１ａ，３１ｂ，３２ａ，３２ｂ，３３ａ，３３ｂ  養殖用ロープ（第三の実施形態）を構成する非伸縮ストランド
２４  養殖用ロープ（第三の実施形態）を構成する伸縮ストランド
【図１】
2016007173.tif 000003
【図２】
2016007173.tif 000004
【図３】
2016007173.tif 000005
【図４】
2016007173.tif 000006